(57)【要約】【課題】畦シートの巻き取り始端側が回動軸体に引っ掛かることなく、巻き取った畦シートを巻き取り状態を崩すことなく回動軸体から簡単に取り外すことができ、しかも、巻き取りの最中に畦シートの幅縁端が徐々に側方に向けて張り出すことがなく、また、畦シートに付着した土を巻き取る直前に除去しながら畦シートを巻き取ることもできる畦シート巻取装置を提供することにある。【解決手段】フレーム２、フレーム２の側部に横設された軸受部３、軸受部３に回動自在に軸支された回動軸体４、回動軸体４の基端側４１に付設されたクランクハンドル５、回動軸体４の先端側４２に着脱自在に装着される側部ガイド板６、側部ガイド板６の内側面に取り付けられた係止片７、フレーム２に上下２段に取り付けられた畦シート付着土除去部８，９などから構成される。【選択図】        図１
0003138103.tif 000002
【実用新案登録請求の範囲】
【請求項１】
フレームの側部に軸受部を横設し、畦シートが巻かれる回動軸体を軸受部に回動自在に軸支し、回動軸体の基端側に該回動軸体を回動させるクランクハンドルを付設し、畦シートの巻き取り時に装着され巻き取り時の畦シートの幅縁端が側方に張り出すのを防ぐ側部ガイド板を回動軸体の先端側に着脱自在に装着し、畦シートの巻き取り始端側を回動軸体と協動して表裏側から挟み且つ畦シートの巻き取り後は抜き取り自在な細長な係止片を回動軸体装着時に当該回動軸体と平行になるように側部ガイド板の内側面に取り付けたことを特徴とする畦シート巻取装置。
【請求項２】
フレームの側部に軸受部を横設し、畦シートが巻かれる回動軸体を軸受部に回動自在に軸支し、回動軸体の基端側に該回動軸体を回動させるクランクハンドルを付設し、畦シートの巻き取り時に装着され巻き取り時の畦シートの幅縁端が側方に張り出すのを防ぐ側部ガイド板を回動軸体の先端側に着脱自在に装着し、畦シートの巻き取り始端側を回動軸体と協動して表裏側から挟み且つ畦シートの巻き取り後は抜き取り自在な細長な係止片を回動軸体装着時に当該回動軸体と平行になるように側部ガイド板の内側面に取り付けると共に、畦シートの通過する厚みの隙間を有する上辺と下辺が上下平行な畦シート付着土除去部を、回動軸体に巻き取られる畦シートの通路上のフレームに設けたことを特徴とする畦シート巻取装置。
【請求項３】
フレームの側部に軸受部を横設し、畦シートが巻かれる回動軸体を軸受部に回動自在に軸支し、回動軸体の基端側に該回動軸体を回動させるクランクハンドルを付設し、畦シートの巻き取り時に装着され巻き取り時の畦シートの幅縁端が側方に張り出すのを防ぐ側部ガイド板を回動軸体の先端側に着脱自在に装着し、畦シートの巻き取り始端側を回動軸体と協動して表裏側から挟み且つ畦シートの巻き取り後は抜き取り自在な細長な係止片を回動軸体装着時に当該回動軸体と平行になるように側部ガイド板の内側面に取り付け、畦シートの通過する厚みの隙間を有する上辺と下辺が上下平行な畦シート付着土除去部を、回動軸体に巻き取られる畦シートの通路上のフレームに上下２段に設けると共に、上段の畦シート付着土除去部を波形の畦シート用としその上辺にローラを付設し、下段の畦シート付着土除去部を平坦形の畦シート用としその下辺をフレームの接地杆で兼用したことを特徴とする畦シート巻取装置。
【考案の詳細な説明】
【技術分野】
【０００１】
この考案は、水田からの漏水を防ぐために畦側面に取り付けられた畦シートを来シーズンも使えるように巻き取る畦シート巻取装置に係り、特に、畦シート巻取装置に巻き取った畦シートを巻き取り状態を崩すことなく装置から簡単に取り外すことができる畦シート巻取装置に関するものである。
【背景技術】
【０００２】
従来、水田の畦側面にはひび割れが生じたりや小動物による孔が形成されて、灌漑のために水田に引いた水がこれらのひび割れや孔が形成された畦側面から漏水することがあり、このため、これを防ぐために畦側面には畦シートが取り付けられることがある。畦側面に取り付けられた畦シートは、秋の収穫とともに取り外されて、来シーズンも使えるように巻き取られる。
畦シートを巻き取るための装置として、例えば、次のような畦シート巻取装置（特開平１０−２３１０６３）が出願されている。
この畦シート巻取装置（特開平１０−２３１０６３）は、フレームに軸受部を横設し、この軸受部に回動自在に回動する回動軸体を設け、この回動軸体に畦シートの端縁部を挿込み係止する挿込係止部を付設し、前記回動軸体の一側にクランクハンドルを付設した構造からなっている。
【特許文献１】特開平１０−２３１０６３
【考案の開示】
【考案が解決しようとする課題】
【０００３】
しかしながら、前記畦シート巻取装置（特開平１０−２３１０６３）にあっては、回動軸体に付設した挿込係止部に畦シートの端縁部を挿込んで、回動軸体の外周に畦シートを巻き取った場合において、畦シートの端縁部が回動軸体の挿込係止部に強く挿込まれているときには、畦シートの巻き取り中心側の端縁部が回動軸体の挿込係止部に引っ掛かって巻き取った畦シートが回動軸体から簡単に取り外せないことが考えられる。
また、クランクハンドルが付設された側の反対側となる回動軸体の他側には側板が付設されていないため、畦シートの巻き取りの途中から畦シートの幅側の一縁側が回動軸体の他側の側方に向けて徐々に移動して張り出して、巻き取られた畦シートの横幅全体が拡がることが考えられ、固く巻き取っている場合にはその張り出し部分の修正が容易でない。しかも、その張り出し量が大き過ぎる場合には、巻き取り中心部に対して一側方に向けて大きく張り出した外周側の巻き取り状態が崩れて再度巻き取り直さなければならないことも考えられる。
さらに、巻き取る畦シートの表面には畦側面の土が一般に付着しているが、付着した土を巻き取る直前に除去する装置についての開示もなく、別の手段例えば水洗いで畦シートに付着した土を除去する必要がある。
【０００４】
この考案は、上記のような課題に鑑み、その課題を解決すべく創案されたものであって、その目的とするところは、畦シートの巻き取り始端側が回動軸体に引っ掛かることなく、巻き取った畦シートを巻き取り状態を崩すことなく回動軸体から簡単に取り外すことができ、しかも、巻き取りの最中に畦シートの幅縁端が徐々に側方に向けて張り出すことがなく、また、畦シートに付着した土を巻き取る直前に除去しながら畦シートを巻き取ることもできる畦シート巻取装置を提供することにある。
【課題を解決するための手段】
【０００５】
以上の目的を達成するために、請求項１の考案は、フレームの側部に軸受部を横設し、畦シートが巻かれる回動軸体を軸受部に回動自在に軸支し、回動軸体の基端側に該回動軸体を回動させるクランクハンドルを付設し、畦シートの巻き取り時に装着され巻き取り時の畦シートの幅縁端が側方に張り出すのを防ぐ側部ガイド板を回動軸体の先端側に着脱自在に装着し、畦シートの巻き取り始端側を回動軸体と協動して表裏側から挟み且つ畦シートの巻き取り後は抜き取り自在な細長な係止片を回動軸体装着時に当該回動軸体と平行になるように側部ガイド板の内側面に取り付けた手段よりなるものである。
【０００６】
また、請求項２の考案は、フレームの側部に軸受部を横設し、畦シートが巻かれる回動軸体を軸受部に回動自在に軸支し、回動軸体の基端側に該回動軸体を回動させるクランクハンドルを付設し、畦シートの巻き取り時に装着され巻き取り時の畦シートの幅縁端が側方に張り出すのを防ぐ側部ガイド板を回動軸体の先端側に着脱自在に装着し、畦シートの巻き取り始端側を回動軸体と協動して表裏側から挟み且つ畦シートの巻き取り後は抜き取り自在な細長な係止片を回動軸体装着時に当該回動軸体と平行になるように側部ガイド板の内側面に取り付けると共に、畦シートの通過する厚みの隙間を有する上辺と下辺が上下平行な畦シート付着土除去部を、回動軸体に巻き取られる畦シートの通路上のフレームに設けた手段よりなるものである。
【０００７】
また、請求項３の考案は、フレームの側部に軸受部を横設し、畦シートが巻かれる回動軸体を軸受部に回動自在に軸支し、回動軸体の基端側に該回動軸体を回動させるクランクハンドルを付設し、畦シートの巻き取り時に装着され巻き取り時の畦シートの幅縁端が側方に張り出すのを防ぐ側部ガイド板を回動軸体の先端側に着脱自在に装着し、畦シートの巻き取り始端側を回動軸体と協動して表裏側から挟み且つ畦シートの巻き取り後は抜き取り自在な細長な係止片を回動軸体装着時に当該回動軸体と平行になるように側部ガイド板の内側面に取り付け、畦シートの通過する厚みの隙間を有する上辺と下辺が上下平行な畦シート付着土除去部を、回動軸体に巻き取られる畦シートの通路上のフレームに上下２段に設けると共に、上段の畦シート付着土除去部を波形の畦シート用としその上辺にローラを付設し、下段の畦シート付着土除去部を平坦形の畦シート用としその下辺をフレームの接地杆で兼用した手段よりなるものである。
【考案の効果】
【０００８】
以上の記載より明らかなように、請求項１の考案に係る畦シート巻取装置によれば、畦シートの巻き取り始端側の表裏側を回動軸体と協動して係止片によって挟むことによって、畦シートの巻き取り始端側を巻き取り開始時には回動軸体の外周表面に係止できるので、畦シートの巻き取り始端側が回動軸体の外周を空回りするのを防いで、回動軸体の外周に畦シートをしっかりと巻き取ることができる。
しかも、側部ガイド板の取り外し時にクランクハンドルを１回ないし数回、逆方向に回して回動軸体を逆回転させることによって、回動軸体と協動して畦シートの始端側を挟んでいた係止片は畦シートの始端に相対的に回転移動してその始端から抜け出て、側部ガイド板と一体となって係止片を抜き取ることにより、その後に巻き取った畦シートを回動軸体から取り外す場合には畦シートの巻き取り始端側が回動軸体に引っ掛かることがなく、巻き取った畦シートを巻き取り状態を崩すことなく回動軸体から簡単に取り外すことができる。
さらに、畦シートの巻き取り最中には、回動軸体の先端側に装着した側部ガイド板によって、畦シートの幅縁端が側方に移動するのを阻止されるので、巻き取りの最中に畦シートの幅縁端が徐々に側方に向けて張り出すのを防ぐことができ、巻き取り中心部に対して一側方に向けて大きく張り出した外周側の巻き取り状態が崩れて再巻き直しという事態を招くこともない。
そして、この考案に係る畦シート巻取装置を使用して、例えば４０ｍの平坦形畦シートを巻き取る場合、手動による巻き取りでは１０分程度かかっていたものが、１分〜１分３０秒前後で巻き取ることができる。また、例えば２５ｍの波形畦シートを巻き取る場合、手動による巻き取りでは３分程度かかっていたものが、４０秒前後で巻き取ることができ、畦シートの巻き取り作業時間を大幅に短縮することができるという極めて実用的有益なる効果を奏するものである。
【０００９】
また、請求項２の考案に係る畦シート巻取装置によれば、上記請求項１の効果に加えて、回動軸体に巻き取られる畦シートの通路上のフレームに設けた畦シート付着土除去部によって、巻き取られる直前の畦シートに付着した土を除去することができる。
【００１０】
また、請求項３の考案に係る畦シート巻取装置によれば、上記請求項１、請求項２の効果に加えて、上段の畦シート付着土除去部を通過させることで厚みが大きな波形の畦シートに付着した土を除去することができ、叉下段の畦シート付着土除去部を通過させることで厚みが小さな平坦形の畦シートに付着した土を除去することができ、一台の畦シート巻取装置で波形と平坦形の畦シートを巻き取る際にそれぞれ付着した土を除去しながら巻き取ることができる。
【考案を実施するための最良の形態】
【００１１】
以下、図面に記載の考案を実施するための最良の形態に基づいて、この考案をより具体的に説明する。
ここで、図１は波形の畦シート巻き取り最中の畦シート巻取装置の斜視図、図２は畦シート巻取装置の正面図、図３は畦シート巻取装置の平面図、図４は畦シート巻取装置の右側面図、図５は畦シート巻取装置の左側面図、図６は畦シート巻取装置の側部ガイド板装着前の正面図、図７は畦シート巻取装置の分解正面図、図８は側部ガイド板の内側面側から見た正面図、図９（Ａ）は平坦形の畦シートの始端側の表裏側を回動軸体と係止片で挟んだ状態の部分側断面図、図９（Ｂ）は平坦形の畦シートの始端側の表裏側を回動軸体と協動して挟んでいた係止片を回動軸体を逆回転させることで相対的に回転移動させて畦シートの始端から抜け出た状態の部分側断面図、図１０（Ａ）は平坦形の畦シートの畦シート付着土除去部通過中の部分側断面図、図１０（Ｂ）は波形の畦シートの畦シート付着土除去部通過中の部分側断面図である。
【００１２】
図において、畦シート巻取装置１は、畦側面ｂに取り付けられた畦シートａを来シーズンも使えるように巻き取る装置で、フレーム２、フレーム２の側部に横設された軸受部３、軸受部３に回動自在に軸支された回動軸体４、回動軸体４の基端側４１に付設されたクランクハンドル５、回動軸体４の先端側４２に着脱自在に装着される側部ガイド板６、側部ガイド板６の内側面に取り付けられた係止片７、フレーム２に上下２段に設けられた畦シート付着土除去部８，９などから構成されている。
【００１３】
フレーム２は、例えば異形棒鋼の中央部分を平面から見てコ字状に折り曲げて地面に接地される接地杆２１が形成され、接地杆２１の両側を互いに向かい合う方向に斜め上向きに傾斜して延ばして側部傾斜杆２２が形成され、斜め上方で互いに接する側部傾斜杆２２の上部側を真上に平行に延ばして側部垂直杆２３が形成され、側部垂直杆２３の上部側を接地杆２１側に向けて略直角に折り曲げて畦シート巻取装置１の持ち運び時に把持される把持杆２４が形成されている。
【００１４】
また、側部傾斜杆２２の上部側から側部垂直杆２３の下部側の範囲の内側には円形の側部ガイド板２５が取り付けられている。側部ガイド板２５は畦シートａが巻かれる回動軸体４を挟んでその基端側４１に取り付けられ、その向かい側となる先端側４２に取り付けられる側部ガイド板６と共に、畦シートａの左右の幅縁端ａ１がそれぞれ側方に向けて張り出しながら巻き取られるのを防ぐ機能を果たす。円形の側部ガイド板２５の中心部には図示しない円形孔が形成されていて、回動軸体４の基端側４１はこの円形孔を貫通している。なお、側部ガイド板２５の外側面には側部傾斜杆２２と側部垂直杆２３が配置されており、側部ガイド板２５が取り付けられない場合にはこれらが畦シートａの幅縁端ａ１が側方に向けて張り出すのを防ぐ機能を果たす。
【００１５】
軸受部３はフレーム２の側部となる両側部傾斜杆２２の頂部側の側部ガイド板２５の外側面に、軸受部３の軸芯方向がコ字状の接地杆２１の左右両辺側と平行になるように横設されている。軸受部３には畦シートａがその外周に巻かれる回動軸体４の基端側４１が貫通して回動自在に軸支されている。回動軸体４は畦シートａが巻かれる外周は円形に形成されている。軸受部３を貫通した基端側４１の端部には、回動軸体４を回動させるクランクハンドル５の基端側が付設されている。クランクハンドル５を回すことにより、回動軸体４は軸回りに回動する。
【００１６】
側部ガイド板６は、畦シートａの巻き取り時に装着され、巻き取り時の畦シートａの幅縁端ａ１が側方に張り出すのを防ぐ機能を果たすもので、回動軸体４の先端側４２に着脱自在に装着される。側部ガイド板６は例えば円形板からなり、円形の中心部には回動軸体４の先端側４２が挿入するための小径の円形孔６１が形成されている。円形孔６１は回動軸体４の畦シートａが巻かれる外周の直径より小さく、先端側４２の直径より大きい。
【００１７】
側部ガイド板６の円形孔６１に挿入される回動軸体４の先端側４２の側周面にはネジ山が形成されている。締結具６２は、回動軸体４の先端側４２に装着された側部ガイド板６を一時的に止着するもので、側部ガイド板６の円形孔６１から貫通する先端側４２に螺合して締め付けて止着する。締結具６２にはナットが使用され、締結具６２にはこれを回しやすいように、摘み６２ａが固着されている。
【００１８】
畦シートａの巻き取り時に畦シートａの幅縁端ａ１に当接する側部ガイド板６の内側面には、畦シートａの巻き取り始端側ａ２を回動軸体４と協動して表裏側から挟み且つ畦シートａの巻き取り後は抜き取り自在な細長な係止片７が回動軸体４装着時に当該回動軸体４と平行になるように取り付けられている。
【００１９】
係止片７には例えば直径が小さい丸鋼が使用されていて、巻き取り後の畦シートａから簡単に抜き取れるような細長もなっている。丸鋼の一端を側部ガイド板６の内側面に直角に例えば溶接などにより固着して取り付けられている。
【００２０】
また、係止片７は畦シートａの巻き取り始端側ａ２を回動軸体４と表裏側から挟める程度の僅かな隙間を有するように、側部ガイド板６の内側面に取り付けられ、このため、その取り付け箇所は円形孔６１の近くである。
【００２１】
畦シート付着土除去部８，９は、回動軸体４に巻き取られる畦シートａに付着した土ｃを巻き取る直前に除去する箇所で、回動軸体４に巻き取られる畦シートａの通路上のフレーム２に上下２段に設けられている。回動軸体４に巻き取られる畦シートａは回動軸体４に平行な２つの接地杆２１の何れか一方側を通過するので、その何れか一方の接地杆２１の上部側に畦シート付着土除去部８，９は設けられている。
【００２２】
上段の畦シート付着土除去部８は波形の畦シートａ用として使用され、波形の畦シートａの通過する厚みの隙間を有する上辺と下辺が上下平行に配置され、このうち、上辺にはローラ８１が付設されている。また、下段の畦シート付着土除去部９は平坦形の畦シートａ用として使用され、平坦形の畦シートａの通過する厚みの隙間を有する上辺と下辺が上下平行に配置されている。このうち、下段の畦シート付着土除去部９の上辺は上段の畦シート付着土除去部８の下辺を兼ねる。叉下段の畦シート付着土除去部９の下辺はフレーム２の接地杆２１を兼用している。
【００２３】
次に、上記考案を実施するための最良の形態の構成に基づく畦シート巻取装置の使用について以下説明する。
平坦形の畦シートａを畦シート巻取装置１を使用して巻き取る場合には、平坦形の畦シートａの始端ａ３をフレーム２の接地杆２１の上部側に設けられた下段の畦シート付着土除去部９の隙間に入れて挿通させて通過させる。下段の畦シート付着土除去部９を通過させて、畦シート巻取装置１の回動軸体４の外周面に平坦形の畦シートａの始端側ａ２を半周程巻き付け、回動軸体４の先端側４２に側部ガイド板６を装着する。
【００２４】
このとき、側部ガイド板６の内側面に取り付けられた係止片７を畦シートａの始端側ａ２の上側に幅縁端ａ１側から差し込みながら、側部ガイド板６の円形孔６１に先端側４２が貫通するように装着する。側部ガイド板６の円形孔６１を貫通した回動軸体４の先端側４２に摘み６２ａを掴んで締結具６２を回してしっかりと螺合する。これにより、側部ガイド板６は回動軸体４の先端側４２に固定される。平坦形の畦シートａの始端側ａ２は回動軸体４と係止片７によって表裏側から挟まれることにより、巻き取り時に外れることがない（図９（Ａ）参照）。
【００２５】
この後は、クランクハンドル５を回すと、回動軸体４は平坦形の畦シートａを巻き取る方向に回転し、回動軸体４の外周側に平坦形の畦シートａが巻き取られる。回動軸体４に巻き取られる平坦形の畦シートａは下段の畦シート付着土除去部９の隙間を通過する際に上辺と下辺に接触するので平坦形の畦シートａの表面に付着している土ｃはその接触の際に除去される（図１０（Ａ）参照）。
【００２６】
平坦形の畦シートａを回動軸体４に巻き取った後は、摘み６２ａを掴んで締結具６２を緩めながらクランクハンドル５を数回、逆向きに空回りさせると、平坦形の畦シートａの始端側ａ２を挟んでいた係止片７は始端ａ３に向かって相対的に回転して始端ａ３から外れて、巻き取り中心の内側に入って空回りする（図９（Ｂ）参照）。
【００２７】
締結具６２を回動軸体４の先端側４２から取り外して、側部ガイド板６を側方に取り外す。このとき、巻き取り中心の内側に入っている係止片７は平坦形の畦シートａの始端側ａ２を引っ掛けることなく抜き出される。その後、回動軸体４から巻き取られた平坦形の畦シートａを抜き取り、ゴムバンドや紐等で巻き取られた平坦形の畦シートａの外周表面をしっかりと巻いて、来シーズンのために納屋等に保管する。
【００２８】
これに対して、波形の畦シートａを畦シート巻取装置１を使用して巻き取る場合には、波形の畦シートａの始端ａ３をフレーム２の接地杆２１の上部側に設けられた上段の畦シート付着土除去部８の隙間に入れて挿通させて通過させる。上段の畦シート付着土除去部８を通過させて、畦シート巻取装置１の回動軸体４の外周面に波形の畦シートａの始端側ａ２を半周程巻き付け、回動軸体４の先端側４２に側部ガイド板６を装着する。
【００２９】
このとき、側部ガイド板６の内側面に取り付けられた係止片７を畦シートａの始端側ａ２の波形の凹型部分の上側に幅縁端ａ１側から差し込みながら、側部ガイド板６の円形孔６１に先端側４２が貫通するように装着する。側部ガイド板６の円形孔６１を貫通した回動軸体４の先端側４２に摘み６２ａを掴んで締結具６２を回してしっかりと螺合する。これにより、側部ガイド板６は回動軸体４の先端側４２に固定される。波形の畦シートａの始端側ａ２は回動軸体４と係止片７によって表裏側から挟まれることにより、巻き取り時に外れることがない。
【００３０】
この後は、クランクハンドル５を回すと、回動軸体４は波形の畦シートａを巻き取る方向に回転し、回動軸体４の外周側に波形の畦シートａが巻き取られる。回動軸体４に巻き取られる波形の畦シートａは上段の畦シート付着土除去部８の隙間を通過する際に上辺と下辺に接触するので波形の畦シートａの表面に付着している土ｃはその接触の際に除去される（図１０（Ｂ）参照）。
【００３１】
波形の畦シートａを回動軸体４に巻き取った後は、摘み６２ａを掴んで締結具６２を緩めながらクランクハンドル５を数回、逆向きに空回りさせると、波形の畦シートａの始端側ａ２を挟んでいた係止片７は始端ａ３に向かって相対的に回転して始端ａ３から外れて、巻き取り中心の内側に入って空回りする。
【００３２】
締結具６２を回動軸体４の先端側４２から取り外して、側部ガイド板６を側方に取り外す。このとき、巻き取り中心の内側に入っている係止片７は波形の畦シートａの始端側ａ２を引っ掛けることなく抜き出される。その後、回動軸体４から巻き取られた波形の畦シートａを抜き取り、ゴムバンドや紐等で巻き取られた波形の畦シートａの外周表面をしっかりと巻いて、来シーズンのために納屋等に保管する。
【００３３】
なお、この考案は上記考案を実施するための最良の形態に限定されるものではなく、この考案の精神を逸脱しない範囲で種々の改変をなし得ることは勿論である。
【図面の簡単な説明】
【００３４】
【図１】この考案を実施するための最良の形態を示す波形の畦シート巻き取り最中の畦シート巻取装置の斜視図である。
【図２】この考案を実施するための最良の形態を示す畦シート巻取装置の正面図である。
【図３】この考案を実施するための最良の形態を示す畦シート巻取装置の平面図である。
【図４】この考案を実施するための最良の形態を示す畦シート巻取装置の右側面図である。
【図５】この考案を実施するための最良の形態を示す畦シート巻取装置の左側面図である。
【図６】この考案を実施するための最良の形態を示す畦シート巻取装置の側部ガイド板装着前の正面図である。
【図７】この考案を実施するための最良の形態を示す畦シート巻取装置の分解正面図である。
【図８】この考案を実施するための最良の形態を示す側部ガイド板の内側面側から見た正面図である。
【図９】（Ａ）はこの考案を実施するための最良の形態を示す平坦形の畦シートの始端側の表裏側を回動軸体と係止片で挟んだ状態の部分側断面図である。  （Ｂ）はこの考案を実施するための最良の形態を示す平坦形の畦シートの始端側の表裏側を回動軸体と協動して挟んでいた係止片を回動軸体を逆回転させることで相対的に回転移動させて畦シートの始端から抜け出た状態の部分側断面図である。
【図１０】（Ａ）はこの考案を実施するための最良の形態を示す平坦形の畦シートの畦シート付着土除去部通過中の部分側断面図である。  （Ｂ）はこの考案を実施するための最良の形態を示す波形の畦シートの畦シート付着土除去部通過中の部分側断面図である。
【図１１】畦側面に畦シートを取り付けた状態を示す断面図である。
【符号の説明】
【００３５】
１    畦シート巻取装置
２    フレーム
２１    接地杆
２２    側部傾斜杆
２３    側部垂直杆
２４    把持杆
２５    側部ガイド板
３    軸受部
４    回動軸体
４１    基端側
４２    先端側
５    クランクハンドル
６    側部ガイド板
６１    円形孔
６２    締結具
６２ａ  摘み
７    係止片
８    上段の畦シート付着土除去部
８１    ローラ
９    下段の畦シート付着土除去部
ａ    畦シート
ａ１  幅縁端
ａ２  始端側
ａ３  始端
ｂ    畦側面
ｃ    土
【図１】
0003138103.tif 000003
【図２】
0003138103.tif 000004
【図３】
0003138103.tif 000005
【図４】
0003138103.tif 000006
【図５】
0003138103.tif 000007
【図６】
0003138103.tif 000008
【図７】
0003138103.tif 000009
【図８】
0003138103.tif 000010
【図９】
0003138103.tif 000011
【図１０】
0003138103.tif 000012
【図１１】
0003138103.tif 000013